(57)【要約】【課題】異なるサイズの携帯機器でも一の充電台で適切に充電可能とする。【解決手段】誘導コイル５１を内蔵し、この誘導コイル５１に誘導される電力で充電される電池５４を内蔵するパック電池７０を備える携帯機器５０を充電可能な充電台１０であって、台ケース１１と、台ケース１１の表面に設けられた、携帯機器５０を脱着自在に定位置にセットするための、断面凹状の装着部１２と、装着部１２の凹状底面に接近して、その内側に、携帯機器５０にセットされるパック電池７０の誘導コイル５１に電磁結合される電源コイル２１と、電源コイル２１に接続してなる電源２２と、を備え、さらに、装着部１２の、凹状底面に沿った携帯機器５０の装着面と交差する面に、台ケース１１の一部を部分的に切り欠いて外部と連通する切り欠き部８５を形成する。【選択図】図２
2011087391.tif 000002
【特許請求の範囲】
【請求項１】
誘導コイル(51)を内蔵し、この誘導コイル(51)に誘導される電力で充電される電池(54)を内蔵するパック電池(70)を備える携帯機器(50)を充電可能な充電台であって、
台ケース(11)と、
前記台ケース(11)の表面に設けられた、携帯機器(50)を脱着自在に定位置にセットするための、断面凹状の装着部(12)と、
前記装着部(12)の凹状底面に接近して、その内側に、前記携帯機器(50)にセットされるパック電池(70)の誘導コイル(51)に電磁結合される電源コイル(21)と、
前記電源コイル(21)に接続してなる電源(22)と、
を備え、さらに、
前記装着部(12)の、凹状底面に沿った携帯機器(50)の装着面と交差する面に、前記台ケース(11)の一部を部分的に切り欠いて外部と連通する切り欠き部(85)を形成してなることを特徴とする携帯機器の充電台。
【請求項２】
請求項１に記載の携帯機器の充電台であって、
さらに前記装着部(12)の凹状底面に、第２切り欠き部(86)が形成され、
前記第２切り欠き部(86)は、前記切り欠き部(85)と連通するよう、前記装着面と交差する面の端縁から凹状底面の一部まで延長されてなり、
前記台ケース(11)の端縁を略コ字状に開口してなることを特徴とする携帯機器の充電台。
【請求項３】
請求項１又は２に記載の携帯機器の充電台であって、さらに、
前記装着部(12)の実質的な大きさを変更するための、携帯機器(50)の下面を支持するストッパ壁(14)に装着可能なスペーサ(90)を設けてなることを特徴とする携帯機器の充電台。
【請求項４】
請求項３に記載の携帯機器の充電台であって、
前記スペーサ(90)は、２つのブロック体(91)を接続体(92)で連結して構成されており、
前記スペーサ(90)を前記装着部(12)に装着した際に、前記ブロック体(91)の表面(97)が、前記切り欠き部(85)を構成する台ケース(11)の対向する内壁面(89)と略同一面となるように設計されてなることを特徴とする携帯機器の充電台。
【請求項５】
請求項４に記載の携帯機器の充電台であって、
前記スペーサ(90)は、前記装着部(12)に挿入する側に突出させた位置決め突起(93)を設けてなり、
前記装着部(12)の、前記位置決め突起(93)と対応する位置には、位置決め用凹部(87)を形成してなり、
前記スペーサ(90)の位置決め突起(93)を、前記装着部(12)の位置決め用凹部(87)に挿入することにより、前記スペーサ(90)の位置決めが行われるよう構成してなることを特徴とする携帯機器の充電台。
【請求項６】
請求項５に記載の携帯機器の充電台であって、
前記台ケース(11)に、前記スペーサ(90)を収納するスペーサ収納部(96)を設けてなることを特徴とする携帯機器の充電台。
【請求項７】
請求項６に記載の携帯機器の充電台であって、
前記台ケース(11)が、前記装着部(12)を傾斜姿勢に設けてなることを特徴とする携帯機器の充電台。
【請求項８】
請求項７に記載の携帯機器の充電台であって、
前記スペーサ収納部(96)が、前記台ケース(11)の裏面で、前記装着部(12)を設けた側と反対側に設けられてなることを特徴とする携帯機器の充電台。
【請求項９】
請求項１から８のいずれか一に記載の携帯機器の充電台であって、
前記装着部(12)の断面が略Ｕ字状に形成されてなることを特徴とする携帯機器の充電台。
【請求項１０】
機器ケースと、
前記機器ケースに着脱自在に装着される、充電可能な二次電池と、
前記二次電池を誘導電力で充電するための誘導コイル(51)と、
を備える携帯機器(50)と、
台ケース(11)と、
前記台ケース(11)の表面に設けられた、前記携帯機器(50)を脱着自在に定位置にセットするための、断面凹状の装着部(12)と、
前記装着部(12)の凹状底面に接近して、その内側に、前記装着部(12)にセットされた携帯機器(50)の誘導コイル(51)に電磁結合される電源コイル(21)と、
前記電源コイル(21)に接続してなる電源(22)と、
を備える充電台(10)であって、
前記充電台(10)は、
前記装着部(12)の、凹状底面に沿った前記携帯機器(50)の装着面と交差する面に、前記台ケース(11)の一部を部分的に切り欠いて外部と連通する切り欠き部(85)を形成してなることを特徴とする携帯機器と充電台。
【請求項１１】
請求項１０に記載の携帯機器と充電台であって、
前記携帯機器(50)は、前記機器ケースにオプションユニット(OU)を接続可能であり、
前記充電台(10)は、
オプションユニット(OU)を接続した前記携帯機器(50)が前記装着部(12)にセットされた状態で、前記誘導コイル(51)と電源コイル(21)とが電磁結合するよう、前記装着部(12)の形状を設計すると共に、
オプションユニット(OU)を接続しない前記携帯機器(50)が前記装着部(12)にセットされた状態でも、前記誘導コイル(51)と電源コイル(21)とが電磁結合するよう、前記携帯機器(50)の位置を調整するためのスペーサ(90)を装着可能に構成してなることを特徴とする携帯機器と充電台。
【発明の詳細な説明】
【技術分野】
【０００１】
本発明は、充電できる電池を内蔵する携帯機器と、この携帯機器に内蔵される電池を充電する充電台に関する。
【背景技術】
【０００２】
電磁誘導の作用で電源コイルから誘導コイルに電力搬送して、携帯機器に内蔵される電池を充電する、いわゆる無接点式の充電台は開発されている。（特許文献１及び２参照）
【０００３】
特許文献１は、充電台に、高周波電源で励磁される電源コイルを内蔵し、パック電池には、電源コイルに電磁結合される誘導コイルを内蔵する構造を記載する。さらに、パック電池は、誘導コイルに誘導される交流を整流し、これを電池に供給して充電する回路も内蔵する。この構造によると、充電台の上にパック電池を載せて、非接触状態でパック電池の電池を充電できる。
【０００４】
さらに、特許文献２は、携帯機器の底部に電池を内蔵し、さらにその下方に二次側充電用アダプタを設けて、この二次側充電用アダプタに誘導コイルと充電回路を内蔵する構造を記載する。また、誘導コイルに電磁結合される電源コイルを充電台に設ける構造も記載する。充電台に二次側充電用アダプタを結合する携帯機器を載せ、電源コイルから誘導コイルに電力搬送して、携帯機器の電池を充電する。
【先行技術文献】
【特許文献】
【０００５】
【特許文献１】特開平９−６３６５５号公報
【特許文献２】実用新案登録第３０１１８２９号
【発明の概要】
【発明が解決しようとする課題】
【０００６】
このような無接点式の充電台では、充電台の所定位置に携帯機器をセットすることが重要である。正しい位置にセットできないと、適切な充電が行えない虞がある。例えば特許文献１に記載される構造は、充電台の上に載せるパック電池の位置がずれると、パック電池を充電できなくなる欠点がある。それは、パック電池と充電台との相対位置がずれると、電源コイルと誘導コイルが電磁結合されない状態となって、電源コイルから誘導コイルに交流電力を搬送できなくなるからである。この欠点は、特許文献２に記載されるように、充電台に位置決め凸部を設け、この位置決め凸部を嵌入する位置決め凹部を携帯機器に設けて解消できる。この構造は、位置決め凹部に位置決め凸部を案内して、携帯機器と充電台との相対的な位置ずれを防止できる。
【０００７】
ただ、特許文献２に示す構造は、位置決め凸部を位置決め凹部に案内するように携帯機器を充電台にセットするので、携帯機器のセットに手間がかかる欠点がある。また、この構造は、全てのユーザーが常に正常な状態で携帯機器を充電台にセットすることが難しい欠点もある。さらに、この構造は、ケースの底面に位置決め凹部を設けて、この位置決め凹部の上に誘導コイルを配置することから、携帯機器を薄くできない欠点がある。携帯電話等の携帯機器は、できるかぎり薄くすることが要求されることから、位置決め凹部によって厚くなると携帯に不便になる欠点がある。
【０００８】
この弊害は、充電台の上面全体の広い面積に、誘導コイルに電力搬送する磁界を発生して解消できる。ただ、この構造によると、携帯機器を載せない部分にも磁界を発生させることから、電源コイルから誘導コイルに搬送する電力効率が低下する欠点がある。また、充電台の上に、鉄等の金属を載せると、これに磁気誘導作用で電流が流れて発熱する弊害がある。
【０００９】
本出願人は、以上の欠点を解消することを目的として、充電台の上面プレートの下に電源コイルを配置すると共に、この電源コイルを上面プレートの内面に沿って移動機構で移動させる充電台を開発した。この充電台は、上面プレートに載せられる携帯機器の位置を検出して、移動機構でもって電源コイルを携帯機器の誘導コイルに接近させる。この充電台は、ケースの上面プレートに載せられる携帯機器の位置を検出する位置検出制御器を設け、この位置検出制御器で移動機構を制御して、電源コイルを移動させて携帯機器の誘導
コイルに接近させる。この充電台は、電源コイルを携帯機器の誘導コイルに接近して、電源コイルから誘導コイルに電力を搬送する。
【００１０】
この構造は、携帯機器の位置がずれても電池を充電できる。ただ、電源コイルを携帯機器の誘導コイルの位置に移動させる機構、さらに携帯機器の位置を検出する機構が複雑になって製造コストが高くなる欠点がある。
【００１１】
本出願人はさらに、上記欠点を解決する充電台として、図２１及び図２２に示す充電台１０Ｃを開発した。この充電台１０Ｃは、携帯機器５０を装着する装着部１２Ｃの底面をＵ溝状に湾曲する湾曲底面１３Ｃとして、湾曲底面１３Ｃの内側に、携帯機器５０の誘導コイル５１Ｃに電磁結合される電源コイル２１Ｃを内蔵している。このように装着部の底面を湾曲底面とし、さらに、ここにセットする携帯機器５０の背面を湾曲背面とすることで、携帯機器５０を装着部に入れると、それ自体の自重で、湾曲底面の底部に湾曲背面が位置するように案内される。これにより、湾曲底面の内側に内蔵される誘導コイルを、常に電源コイルに接近させて、電源コイルから誘導コイルへの電力搬送を効率よくして、電池を速やかに充電できる。
【００１２】
しかしながら、このようなスタンド式に携帯機器を装着部に載置する構成では、携帯機器の大きさや形状が制限されるという問題があった。例えば、携帯機器５０の全長が図２１のものよりも長くなる場合、携帯機器５０に内蔵された電池に接続された誘導コイル５１Ｃの位置が、相対的に上方にずれる結果、充電台側の電源コイル２１Ｃとの電磁結合が適切に行われなくなることがあった。また携帯機器の表面から種々の突起物が突出していることもある。例えば下面や背面からストラップや電極等を突出させた形状の携帯機器では、このような突起物が邪魔となり、携帯機器の背面を充電台の装着部に正しくセットすることができず、誘導コイルと電源コイルの電磁誘導が阻害されることもあった。このように、所定の形状、サイズの携帯機器しか適切に充電できないのでは、充電台の使い勝手が悪くなり、携帯機器毎に専用の充電台を準備する必要が生じるという不都合が生じていた。
【００１３】
加えて、装着部を携帯機器に密接させることは電磁結合の観点から重要であるものの、充電によって発生した熱がこの部分に集中するという問題もあった。
【００１４】
本発明は、さらに従来のこのような問題点を解決するためになされたものである。本発明の主な目的は、異なるサイズの携帯機器でも適切な状態で充電可能な携帯機器用充電台及び携帯機器と充電台を提供することにある。
【課題を解決するための手段及び発明の効果】
【００１５】
本発明の第１の携帯機器用充電台によれば、誘導コイル５１を内蔵し、この誘導コイル５１に誘導される電力で充電される電池５４を内蔵するパック電池７０を備える携帯機器５０を充電可能な充電台１０であって、台ケース１１と、前記台ケース１１の表面に設けられた、携帯機器５０を脱着自在に定位置にセットするための、断面凹状の装着部１２と、前記装着部１２の凹状底面に接近して、その内側に、前記携帯機器５０にセットされるパック電池７０の誘導コイル５１に電磁結合される電源コイル２１と、前記電源コイル２１に接続してなる電源２２と、を備え、さらに、前記装着部１２の、凹状底面に沿った携帯機器５０の装着面と交差する面に、前記台ケース１１の一部を部分的に切り欠いて外部と連通する切り欠き部８５を形成することができる。これにより、携帯機器の下面から突出する部材があっても、切り欠き部に突出部を位置させることで、携帯機器の背面が装着部と接するように携帯機器を正しくセットでき、携帯機器への充電を適切に行うことができる。また携帯機器をセットする装着部に連通する切り欠き部は、携帯機器を囲む装着部の隔壁がその部分で無くなり、携帯機器の表面を表出できるので、この部分が放熱部となり、充放電時の携帯機器の加熱を抑制できる利点も得られる。このように、電磁誘導に必要な装着部と携帯機器との密着を維持しつつも、電磁誘導と無関係な面を切り欠くことによって放熱性の確保も図ることができる。
【００１６】
また、第２の携帯機器用充電台によれば、さらに前記装着部１２の凹状底面に、第２切り欠き部８６が形成され、前記第２切り欠き部８６は、前記切り欠き部８５と連通するよう、前記装着面と交差する面の端縁から凹状底面の一部まで延長されてなり、前記台ケース１１の端縁を略コ字状に開口することができる。これにより、切り欠き部を携帯機器を支持する底面から背面まで連続して設けることで台ケースの端縁をコ字状に切り欠くことができ、携帯機器の底面から背面にかけて突出する突出部に対応可能とできる。加えて、携帯機器が台ケースから表出する面積が増え、放熱効果も増す。
【００１７】
さらに、第３の携帯機器用充電台によれば、さらに前記装着部１２の実質的な大きさを変更するための、携帯機器５０の下面を支持するストッパ壁１４に装着可能なスペーサ９０を設けることができる。これにより、装着部にスペーサをセットすることで装着部を底上げでき、スペーサのサイズを変更することで本来設計された装着部よりも小さいサイズの携帯機器であっても適切に装着部に装着して充電できる。
【００１８】
さらにまた、第４の携帯機器用充電台によれば、前記スペーサ９０は、２つのブロック体９１を接続体９２で連結して構成されており、前記スペーサ９０を前記装着部に装着した際に、前記ブロック体９１の表面９７が、前記切り欠き部８５を構成する台ケース１１の対向する内壁面８９と略同一面となるように設計することができる。これにより、装着部にスペーサを装着した際でも、スペーサを介して切り欠き部に該装着部を連通させることができ、切り欠き部の利点が損なわれない。
【００１９】
さらにまた、第５の携帯機器用充電台によれば、前記スペーサ９０は、前記装着部１２に挿入する側に突出させた位置決め突起９３を設けてなり、前記装着部１２の、前記位置決め突起９３と対応する位置には、位置決め用凹部８７を形成してなり、前記スペーサ９０の位置決め突起９３を、前記装着部１２の位置決め用凹部８７に挿入することにより、前記スペーサ９０の位置決めが行われるよう構成できる。これにより、スペーサを所定の位置に所定の姿勢で容易にセットできる。
【００２０】
さらにまた、第６の携帯機器用充電台によれば、前記台ケース１１に、前記スペーサ９０を収納するスペーサ収納部９６を設けることができる。これにより、スペーサを使用しない際には台ケースにスペーサを収納できるので、使用しないスペーサを紛失する虞を低減できる。
【００２１】
さらにまた、第７の携帯機器用充電台によれば、前記台ケース１１を、前記装着部１２を傾斜姿勢に設けることができる。これにより、装着部に携帯機器を装着する動作が、充電台の上方からも横方向からもセットしやすくなり使い勝手がよくなる。
【００２２】
さらにまた、第８の携帯機器用充電台によれば、前記スペーサ収納部９６を、前記台ケース１１の裏面で、前記装着部１２を設けた側と反対側に設けることができる。これにより、充電台の通常使用時にはスペーサ収納部が外部に表出しないので、外観をすっきりと纏めつつ、装着部を傾斜姿勢とした際に生じるデッドスペースを有効利用できる。
【００２３】
さらにまた、第９の携帯機器用充電台によれば、前記装着部１２の断面を略Ｕ字状に形成することができる。これにより、携帯機器を多少傾けても装着部に載置できるため、ユーザは携帯機器を充電台にセットしやすい上、さらに携帯機器の自重で装着部を揺動乃至摺動できるので、正しい姿勢に調整しやすい利点が得られる。
【００２４】
さらにまた、第１０の携帯機器と充電台によれば、機器ケースと、前記機器ケースに着脱自在に装着される、充電可能な二次電池と、前記二次電池を誘導電力で充電するための誘導コイル５１と、を備える携帯機器５０と、
台ケース１１と、前記台ケース１１の表面に設けられた、前記携帯機器５０を脱着自在に定位置にセットするための、断面凹状の装着部１２と、前記装着部１２の凹状底面に接近して、その内側に、前記装着部１２にセットされた携帯機器５０の誘導コイル５１に電磁結合される電源コイル２１と、前記電源コイル２１に接続してなる電源２２と、を備える充電台１０であって、前記充電台１０は、前記装着部１２の、凹状底面に沿った前記携帯機器５０の装着面と交差する面に、前記台ケース１１の一部を部分的に切り欠いて外部と連通する切り欠き部８５を形成することができる。これにより、携帯機器の下面から突出する部材があっても、切り欠き部に突出部を位置させることで、携帯機器の背面が装着部と接するように携帯機器を正しくセットでき、携帯機器への充電を適切に行うことができる。また携帯機器をセットする装着部に連通する切り欠き部は、携帯機器を囲む装着部の隔壁がその部分で無くなり、携帯機器の表面を表出できるので、この部分が放熱部となり、充放電時の携帯機器の加熱を抑制できる利点も得られる。このように、電磁誘導に必要な装着部と携帯機器との密着を維持しつつも、電磁誘導と無関係な面を切り欠くことによって放熱性の確保も図ることができる。
【００２５】
さらにまた、第１１の携帯機器と充電台によれば、前記携帯機器５０は、前記機器ケースにオプションユニットＯＵを接続可能であり、前記充電台１０は、オプションユニットＯＵを接続した前記携帯機器５０が前記装着部１２にセットされた状態で、前記誘導コイル５１と電源コイル２１とが電磁結合するよう、前記装着部１２の形状を設計すると共に、オプションユニットＯＵを接続しない前記携帯機器５０が前記装着部１２にセットされた状態でも、前記誘導コイル５１と電源コイル２１とが電磁結合するよう、前記携帯機器５０の位置を調整するためのスペーサ９０を装着可能に構成できる。これにより、オプションユニットの装着によって全長が異なる携帯機器であっても、スペーサの装着によって装着部側を底上げしてサイズを変更できるので、適切に充電できる。
【図面の簡単な説明】
【００２６】
【図１】実施の形態に係る携帯機器用充電台を示す斜視図である。
【図２】図１の充電台の左側の装着部にスペーサを装着した状態を示す斜視図である。
【図３】図１の充電台を底面から見た斜視図である。
【図４】図３の上側のスペーサ収納部にスペーサを収納した状態を示す斜視図である。
【図５】図２のスペーサを介して電気機器をセットした状態を示す斜視図である。
【図６】図５の携帯機器をカバーで被覆した状態を示す斜視図である。
【図７】図５の携帯機器にオプションユニットを付加した状態の斜視図である。
【図８】図７の状態から携帯機器をカバーで被覆した状態を示す斜視図である。
【図９】図１の充電台の上台ケースを下台ケースから外した分解斜視図である。
【図１０】図５の携帯機器と充電台のＸ−Ｘ線断面図である。
【図１１】図６の携帯機器と充電台のＸＩ−ＸＩ線断面図である。
【図１２】カバーで被覆しない携帯機器であって、図１２（ａ）はオプションユニット非装着状態、図１２（ｂ）はオプションユニット装着状態をそれぞれ示す斜視図である。
【図１３】カバーで被覆した携帯機器であって、図１３（ａ）はオプションユニット非装着状態、図１３（ｂ）はオプションユニット装着状態をそれぞれ示す斜視図である。
【図１４】スペーサを上方から見た斜視図である。
【図１５】スペーサを背面から見た斜視図である。
【図１６】光ガイドを備えた変形例に係る充電台と携帯機器の縦断面図である。
【図１７】携帯機器と充電台のブロック回路図である。
【図１８】携帯機器からパック電池を取り外す状態を示す分解斜視図である。
【図１９】図１８に示すパック電池の底面斜視図である。
【図２０】図１９に示すパック電池の分解斜視図である。
【図２１】本出願人が先に開発した充電台に携帯機器をセットした状態を示す斜視図である。
【図２２】図２１の充電台の斜視図である。
【発明を実施するための形態】
【００２７】
以下、本発明の実施の形態を図面に基づいて説明する。ただし、以下に示す実施の形態は、本発明の技術思想を具体化するための携帯機器用充電台及び携帯機器と充電台を例示するものであって、本発明は携帯機器用充電台及び携帯機器と充電台を以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２８】
図１〜図２０に、本発明の一実施の形態に係る充電台と携帯機器を示す。これらの図において、図１は携帯機器用充電台の斜視図、図２は図１の充電台の左側の装着部にスペーサを装着した状態を示す斜視図、図３は図１の充電台を底面から見た斜視図、図４は図３の上側のスペーサ収納部にスペーサを収納した状態を示す斜視図を、それぞれ示している。また図５は図１の充電台に図２のスペーサを介して電気機器をセットした状態の斜視図を示しており、この携帯機器にはオプションユニットを装着しておらず、またカバーも被覆していない。さらに、図６は図５の状態から携帯機器をカバーで被覆して、充電台にセットした状態の斜視図、図７は図５の状態から携帯機器にオプションユニットを付加して、スペーサ無しでセットした状態の斜視図、図８は図７の状態から携帯機器にカバーを被覆して、充電台にセットした状態の斜視図を、それぞれ示している。さらにまた図９は、図１の充電台の上台ケースを下台ケースから外した分解斜視図、図１０は図５の携帯機器と充電台のＸ−Ｘ線断面図、図１１は図６の携帯機器と充電台のＸＩ−ＸＩ線断面図である。またに図１２はカバーで被覆しない携帯機器であって、図１２（ａ）はオプションユニット非装着状態、図１２（ｂ）はオプションユニット装着状態をそれぞれ示す斜視図であり、また図１３はカバーで被覆した携帯機器であって、図１３（ａ）はオプションユニット非装着状態、図１３（ｂ）はオプションユニット装着状態をそれぞれ示す斜視図である。さらにまた図１４はスペーサを上方から見た斜視図、図１５はスペーサを背面から見た斜視図、図１６は光ガイドを備えた変形例に係る充電台と携帯機器の縦断面図、図１７は携帯機器と充電台のブロック回路図である。また図１８は携帯機器からパック電池を取り外す状態を示す分解斜視図、図１９は図１８に示すパック電池の底面斜視図、図２０は図１９に示すパック電池の分解斜視図を、それぞれ示している。
【００２９】
これらの図に示す充電台１０は、電源コイル２１と電源２２を、台ケース１１に内蔵している。台ケース１１は、図９等に示すように上台ケース１１Ａと下台ケース１１Ｂに二分割される。台ケース１１の外形は、図１〜図８に示すように略三角柱状に形成しており、その傾斜面に装着部１２を設けている。これらの図に示す充電台１０の例では、２つの装着部１２Ａ、１２Ｂを設けており、２つの携帯機器５０Ａ、５０Ｂを各々セットして順次、又は同時に充電できる。装着部１２は、断面を凹状にし、ここに携帯機器５０を脱着自在にセットして充電する。充電に際しては、電極を表出させずに誘導コイル５１と電源コイル２１の電磁結合を利用した無接点充電方式とする。このため装着部１２の凹状底面の裏側に当たる台ケース１１の内側には、誘導コイル５１が、一方携帯機器５０側には、この誘導コイル５１と電磁結合される電源コイル２１が、それぞれ内蔵されている。
【００３０】
また携帯機器５０は、機器ケースと、機器ケースに着脱自在に装着される、充電可能な二次電池を有する電池パックと、二次電池を誘導電力で充電するための誘導コイル５１とを備える。機器ケースの材質や形状は、携帯機器の用途等に応じて適宜設計され、例えばポリカーボネート等で構成される。さらに機器ケースにはオプションユニットＯＵを接続可能としている。充電台１０は、携帯機器５０を台ケース１１の装着部１２に脱着自在にセットして、携帯機器５０の電池５４を充電する。
（携帯機器５０）
【００３１】
携帯機器５０は、図１０、図１１等に示すように、誘導コイル５１と、この誘導コイル５１に電力搬送される電力で充電される電池５４を内蔵している。携帯機器５０としては、種々の機器が利用でき、例えばゲーム電子機器等の電子製品を操作するリモコンや、コードレス電話機、携帯電話、携帯情報端末、ＰＤＡ、スマートフォン、ページャ、携帯音楽プレーヤ等が利用できる。またオプションユニットＯＵとは、このような携帯機器５０に対して外付け可能な部材であって、装着によって携帯機器の全長が変化する部材を指し、例えばゲームコントローラの位置検出精度を向上させるセンサや、携帯電話等のバッテリ駆動時間を延長する追加バッテリ、ＴＶチューナや電子マネー用通信ユニット等が挙げられる。携帯機器の外観の一例を図１２に示す。この図において、図１２（ａ）はオプションユニット非装着状態、図１２（ｂ）はオプションユニット装着状態をそれぞれ示している。
【００３２】
さらに携帯機器５０は、外部にカバー４０を装着できる。カバー４０は、携帯機器５０を落下や衝突等の衝撃から保護すると共に、これをユーザが手で把持した際の滑り止め効果も得られる。図１３は、携帯機器５０にカバー４０を装着した状態を示しており、この図において、図１３（ａ）はオプションユニット非装着状態、図１３（ｂ）はオプションユニット装着状態である。
（装着部１２）
【００３３】
携帯機器５０を装着する装着部１２の断面は、好ましくは略Ｕ字状に形成する。これにより、携帯機器５０を多少傾けても装着部１２に載置できるため、ユーザは携帯機器５０を充電台１０にセットしやすい上、さらに携帯機器５０の自重で装着部１２を揺動乃至摺動できるので、正しい姿勢に調整しやすい利点が得られる。また台ケース１１を直角三角形状とする場合は、その斜辺に装着部１２を設けることが好ましい。これにより装着部１２を傾斜姿勢とでき、携帯機器５０を充電台１０にセットする際、充電台１０の上方からも横方向からもセットしやすくできるので、使い勝手に優れる。
【００３４】
さらに装着部１２は、下部の底面を携帯機器５０の支持面であるストッパ壁１４とする一方、上部を開放している。これにより携帯機器を上方から突出させた姿勢に保持でき、細長い携帯機器であっても上方からの突出量を調整してセットできる。さらに、細長い携帯機器をセットした場合であっても正しく充電できるように、具体的には携帯機器の誘導コイル５１が充電台１０に内蔵された電源コイル２１と位置合わせできるように、装着部１２はスペーサ９０によって携帯機器のセット高さを調整できる。具体的には、図２に示すように、装着部１２の底面にスペーサ９０を装着することで底面を嵩上げして、異なる長さの携帯機器であっても、その誘導コイル５１が同じ位置にくるよう、予め対応する高さに設計されたスペーサを用意する。これにより、携帯機器の長さに応じて高さを調整したスペーサを用意することで、一の充電台で異なる長さの携帯機器に対応することが可能となる。
【００３５】
また、スペーサは長さの短い携帯機器を嵩上げするために利用されることから、装着部は、スペーサを使用しない状態で、最も長い携帯機器に対応するよう、設計することが好ましい。これにより、これよりも短い携帯機器はスペーサを使用することで、設計された位置に携帯機器を位置させるよう、スペーサで底上げできる。
【００３６】
このように、スペーサを利用することで、長さの異なる携帯機器でも同一の充電台で対応可能とでき、利便性を向上できる。また長さの異なる携帯機器は、物理的な長さ寸法の異なる携帯機器の他、同一の携帯機器に何らかのオプションユニットを装着可能とした結果、長さの異なる場合にも利用可能である。この場合、装着部１２は、オプションユニットＯＵを接続した、長い携帯機器がセットされた状態で、誘導コイル５１と電源コイル２１とが電磁結合するよう、予め形状や寸法、内部の電源コイル２１の位置等を設計する。これにより、オプションユニットを接続しない、短い携帯機器が装着部１２にセットされた場合は、スペーサ９０を用いることで携帯機器を底上げして、誘導コイル５１と電源コイル２１とが電磁結合するよう位置を調整できる。換言すると、スペーサの高さをオプションユニットに相当する高さに設定すれば、オプションユニットを装着しない携帯機器にはスペーサを介して高さを一致させることができるので、携帯機器をオプションユニット装着の有無によらず、同一の充電台を使用して充電できる。
（スペーサ９０）
【００３７】
スペーサ９０の外観の一例を図１４、図１５に示す。これらの図に示すスペーサ９０は、略矩形状のブロック体９１を２つ、接続体９２で接続して、全体形状を略コ字状としている。ブロック体９１と接続体９２は、プラスチック等の樹脂で一体成形される。ブロック体９１は、好ましくは図２に示すように、スペーサ９０を装着部１２にセットした際にブロック体９１同士の対向する表面９７が、後述する切り欠き部８５の内壁面８９とほぼ同一面となるように設計することが好ましい。これにより、スペーサ９０を装着しても、切り欠き部８５の作用を損ねることなく、これを享受できる。すなわち、スペーサ９０を介して切り欠き部８５に連通する切り欠きで、携帯機器５０の底面や背面から突出する突起物をここに案内して、携帯機器５０の装着部１２の定位置への装着が阻害されず、適切な電磁結合が実現される。
（位置決め突起９３）
【００３８】
またこのスペーサ９０は、接続体９２に位置決め突起９３を形成している。位置決め突起９３は、後述する第２切り欠き部８６に設けられた位置決め用凹部８７に挿入できる形状に形成される。このように位置決め突起９３と位置決め用凹部で、スペーサ９０を装着部１２の所定位置に位置決めして装着できる。図１４、図１５に示す例では、位置決め突起９３は三角形状とし、ブロック体９１同士が対向する表面９７を延長して形成している。三角形状の位置決め突起９３は、スペーサ９０の挿入の方向が多少異なっていても、スペーサ９０の進行と共にスペーサ９０を一定の姿勢に収斂できるので好適である。
（スリット９４）
【００３９】
さらに位置決め突起９３同士の間を連結する接続体９２は、板状の連結片９５を備え、第２切り欠き部８６を閉塞する方向に壁状に突出する。その一方で、連結片９５にＵ字状のスリット９４が形成することもできる。これによって接続体９２が第２切り欠き部８６を完全に閉塞する事態を回避し、例えばケーブルやコードのような細いものはこのスリット９４を介して第２切り欠き部８６を通過できる。特に紐状のストラップが携帯機器の背面から突出している場合は、スリット９４にストラップを通すことでこれを保持でき、ストラップがフリーとなって引っかかる等の事態を回避できる。
【００４０】
またこのスペーサ９０は、左右及び前後に対称な形状としている。これにより、スペーサ９０を逆向きの姿勢としても装着部１２に装着でき、装着の方向を限定しないので、特に幼年者や高齢者向けの携帯機器にも好適に利用できる。
【００４１】
さらにこのスペーサ９０は、図２に示すように装着部１２に設けた位置決め突起９３を、位置決め用凹部８７に嵌入して、スペーサ装着状態が保持される。またユーザが充電台１０（あるいはスペーサ収納部９６）からスペーサ９０を外す際は、接続体９２を指で引っかけて、装着部１２から取り外し易くできる。この形状は一例であり、スペーサは種々の形状に構成できる。このスペーサ９０は、プラスチック材料等にて構成される。
（スペーサ収納部９６）
【００４２】
また台ケース１１には、スペーサ９０を収納するスペーサ収納部９６が設けられる。スペーサ収納部９６は、好ましくは台ケース１１の底面側に設けることで、通常使用時に外部に表出させずに、外観を綺麗に纏めることができる。図３〜図４に、スペーサ収納部９６の一例を示す。この例では、装着部１２が２つ設けていることに対応して、２つのスペーサ９０を収納できるよう、スペーサ収納部９６も２つ形成される。この例では、スペーサ収納部９６は、スペーサ９０を収納できるよう、ほぼ外形と同じ大きさに形成された窪みであり、ここにスペーサ収納部９６を嵌入し、スペーサ９０を弾性変形させて保持される。このように、スペーサ９０の収納部を台ケース１１自体に設けることで、スペーサ９０を台ケース１１と一緒に管理することができ、スペーサ非使用時にスペーサを紛失する虞を回避できる。
【００４３】
さらに図３、図４に示すように、装着部１２を側面視直角三角形状の台ケース１１の斜辺側に設ける場合は、スペーサ収納部９６は台ケース１１の底面で、装着部１２を設けた側と反対側に設けることが好ましい。これにより、三角形状に構成された台ケース１１のデッドスペースを有効利用できる利点が得られる。
（切り欠き部８５）
【００４４】
また充電台１０は、装着部１２の、凹状底面に沿った携帯機器５０の装着面と交差する面、すなわち下部のストッパ壁１４に、台ケース１１の一部を部分的に切り欠いて外部と連通する切り欠き部８５を形成している。このような切り欠き部８５を設けることで、携帯機器５０の下面から突出する部材があっても、この突出部を切り欠き部８５に位置させることで、携帯機器５０の底面がストッパ壁１４から浮き上がって誘導コイル５１と電源コイル２１の位置がずれ、電磁結合が不十分となる事態を回避できる。例えば、携帯機器の下面にストラップが固定されている場合、ストラップの固定部分が切り欠き部８５に位置するように配置することで、ストラップを挟み込むことなく携帯機器の底面がストッパ壁１４に接するようセットできる。加えて、携帯機器の底面が切り欠き部８５によって部分的に表出するため、この部分を放熱に利用できる利点も得られる。
（第２切り欠き部８６）
【００４５】
また装着部１２の凹状底面にも、第２切り欠き部８６が形成されており、この第２切り欠き部８６が切り欠き部８５と連通することで、台ケース１１の端縁から背面まで切り欠きが延長される。具体的には、切り欠き部８５が装着面と交差する面の端縁から凹状底面の一部まで延長され、この結果台ケース１１の端縁が略コ字状に開口される。これにより、携帯機器の背面から突出する突出部があっても、この突出部を第２切り欠き部８６に案内でき、携帯機器の背面が装着部１２の凹状底面から浮き上がる事態を回避でき、携帯機器への充電を適切に行うことができる。さらに、携帯機器の背面から底面にかけて連通した切り欠きによって、携帯機器が外部に表出する面積が増えるため、放熱効果も向上する。特に携帯機器の背面は、誘導コイル５１と電源コイル２１との電磁結合によって発熱するため、背面側に切り欠きを設け、かつこの切り欠きを底面を介して台ケース１１の外部に連通することで外部に放熱する経路が形成され、放熱性の向上を図ることができる。このように、電磁誘導に必要な装着部１２と携帯機器との位置決め及び密着を維持しつつも、電磁誘導の位置決めと無関係な面を切り欠くことによって放熱性の向上も達成できる。
【００４６】
背面まで連通する第２切り欠き部８６は、図１に示すように装着部１２の長さ方向のほぼ中央で、ストッパ壁１４を貫通し、かつ連続して凹状底面の途中まで、矩形状に形成される。また凹状底面まで延長して設けられた第２切り欠き部８６の終端は、凹状底面から、凹状底面の傾斜角よりも大きい傾斜角度でもって、下台ケース１１Ｂまでほぼ平滑な第２傾斜面８８を形成している。このように、凹状底面から連続して、これよりも深い角度に傾斜する第２傾斜面８８とすることで、携帯機器背面から突出する部材をスムーズに第２切り欠き部８６に案内できる。
（位置決め用凹部８７）
【００４７】
さらに第２切り欠き部８６を形成する台ケース１１の、対向する内壁面８９には、図１に示すようにスペーサ９０を装着するための位置決め用凹部８７を形成してもよい。位置決め用凹部８７は、スペーサ９０の接続体９２から突出する位置決め突起９３に対応して、これを嵌入可能な凹部形状に形成されている。これにより、スペーサ９０を所定の位置に所定の姿勢で容易にセットできる。
（上台ケース１１Ａ）
【００４８】
以下、充電台１０の詳細を説明する。図１〜図２０の充電台１０は、上台ケース１１Ａに装着部１２を設けている。上台ケース１１Ａの装着部１２は、底面をＵ溝状に湾曲する湾曲底面１３としている。図の上台ケース１１Ａの装着部１２は、Ｕ溝状である湾曲底面１３の長手方向が、後方に向かって上り勾配に傾斜する姿勢であって、下端にはストッパ壁１４を設けている。この装着部１２は、長手方向に直交する断面形状をＵ溝状として、携帯機器５０を正確な位置に案内する。この上台ケース１１Ａは、装着部１２の両側に一対の側壁１５を設けて、装着部１２の下端部にはストッパ壁１４を設ける形状に、プラスチックを成形して製作している。
【００４９】
さらに、上台ケース１１Ａは、ストッパ壁１４に、ＬＥＤ３０の発光を外部に照射する光ガイド３１を露出させることもできる。このような光ガイド３１を設けた例を、図１６の断面図において斜線で示す。この光ガイド３１は、透光性のプラスチック製で、下台ケース１１Ｂに固定している。この光ガイド３１は、台ケース１１内に固定している回路基板２０に配置されるＬＥＤ３０の光を先端の露出部３１Ａにガイドして、露出部３１Ａから外部に照射する。露出部３１Ａの先端は、ストッパ壁１４の表面側と、ストッパ壁１４の内面側、すなわち装着部１２側に露出して、ＬＥＤ３０の発光をストッパ壁１４の表面と、ストッパ壁１４の内面に照射する。ストッパ壁１４の内面に照射される発光は、図１６に示すように、携帯機器５０のカバー４０に照射されてカバー４０を発光させる。
【００５０】
充電台１０は、図９〜図１１に示すように、上台ケース１１Ａの湾曲底面１３の内側に電源コイル２１を配置している。電源コイル２１は平面状に巻かれた平面コイルで、湾曲底面１３の内面に接近して配設している。電源コイル２１は、Ｕ溝状の長手方向に細長いループ状に巻いて、長手方向に長い領域に電力搬送できるようにしている。図の電源コイル２１は平面コイルであるが、電源コイルは、湾曲底面に沿うように両側部を湾曲面とする平面コイルとすることもできる。
【００５１】
電源コイル２１は、誘導コイル５１との反対側、図において電源コイル２１の下側にシールド層２３を設けている。シールド層２３は、透磁率の高い金属やフェライトからなる層で、電源コイル２１の誘導コイル５１と反対側をシールドする。シールド層２３と電源コイル２１は、台ケース１１に内蔵しているプラスチック製の支持台１６に固定している。支持台１６は、回路基板２０を挟着して下台ケース１１Ｂに固定されて、シールド層２３と電源コイル２１を台ケース１１の定位置に配置する。この支持台１６は、湾曲底面１３に沿う傾斜面１６Ａを有し、この傾斜面１６Ａにシールド層２３と電源コイル２１とを積層して固定している。
【００５２】
電源コイル２１は、図１７の回路図に示すように、回路基板２０に実装される高周波の電源２２に接続している。高周波の電源２２は、ＡＣアダプタ２５から入力される直流電力を高周波電力に変換して電源コイル２１に供給する。高周波の電源２２は、携帯機器５０に内蔵される電池５４が満充電されると高周波電力の出力を遮断する回路を内蔵している。携帯機器５０の電池５４の満充電は、携帯機器５０に内蔵している充電回路５２で検出される。高周波の電源２２は、携帯機器５０の充電回路５２と通信して、携帯機器５０の電池５４が満充電されたことを検出して出力を遮断することができる。
【００５３】
以上の充電台１０は、２つの装着部１２を備えることで、２つの携帯機器５０Ａ、５０Ｂをセットして充電できる。ただ、装着部の個数はこれに限らず、１又は３以上とすることも可能であることはいうまでもない。また、複数の充電台を連結可能とすることで、同時にセット可能な携帯機器の数を変更することもできる。充電台の連結機能は、例えば、充電台を隣接状態に連結する。この場合、充電台の下部に、横に隣接する充電台に脱着自在に連結できる連結部を備えることができる。
【００５４】
充電台１０に内蔵される高周波の電源２２の回路図を図１７に示している。この電源２２は、ＡＣアダプタ２５から電源コネクタ２６を介して電力が供給される。
【００５５】
高周波の電源２２は、携帯機器５０の電池５４を充電する。すなわち、電源コイル２１を励磁する。ここで図１７に示す回路を用いて、２つの装着部にセットされた第１の携帯機器５０Ａの電池５４Ａと第２の携帯機器５０Ｂの電池５４Ｂを充電する手順の一例を説明する。まず、ＡＣアダプタ２５から第１の装着部１２Ａの電源２２Ａに直流電力を供給する。第１の装着部１２Ａの電源２２Ａは、ＡＣアダプタ２５から入力される直流電力で電源コイル２１Ａを励磁して、第１の携帯機器５０Ａの電池５４Ａを充電する。そして第１の携帯機器５０Ａの電池５４Ａが満充電されると、第１の装着部１２Ａの電源２２Ａは電源コイル２１Ａの励磁を停止して、第２の装着部１２Ｂに直流電力を出力する。第２の装着部１２Ｂの電源２２Ｂは、入力される直流電力でもって電源コイル２１Ｂを励磁して、第２の携帯機器５０Ｂの電池５４Ｂを充電する。第２の携帯機器５０Ｂの電池５４Ｂが満充電されると、第２の装着部１２Ｂの電源２２Ｂは電源コイル２１Ｂの励磁を停止して、電池５４Ｂの充電を終了する。
【００５６】
以上のように、複数の携帯機器５０の電池５４を順番に充電する回路構成は、ＡＣアダプタ２５からの入力電力を大きくすることなく、複数の携帯機器５０の電池５４を満充電できる。
（携帯機器５０の詳細）
【００５７】
携帯機器５０は、図１０と図１１に示すように、充電台１０の装着部１２に載せられる背面をＵ溝状の湾曲底面１３に沿う形状に湾曲して湾曲背面５３として、この湾曲背面５３の内側に、湾曲背面５３の沿う湾曲面に巻かれた誘導コイル５１を内蔵している。図１３は、脱着自在なカバー４０で被覆している携帯機器５０を示す斜視図である。このカバー４０は、携帯機器５０のケース表面に設けているスイッチ等の操作部６５を露出して、操作部６５のない表面をカバーしている。図の携帯機器５０は、前面と背面の一部にスイッチ等の操作部６５を設けているので、操作部６５のない携帯機器５０の背面の上部のスイッチ部を除くほぼ全面と、両側面と上下面からなる外周面と、前面の外周部を被覆している。カバー４０は、弾性的に収縮して携帯機器５０の表面に密着するように被着される。また、カバー４０は伸縮して携帯機器５０に脱着できるように被着される。携帯機器５０は、カバー４０で被覆する状態で、あるいはカバーで被覆されない状態で、充電台１０の装着部１２にセットして内蔵する電池５４を充電する。カバー４０は、伸縮性のある軟質プラスチックや天然あるいは合成ゴムで、携帯機器５０を落下や衝突等の衝撃から保護する。カバー４０で被覆し、あるいは被覆されない携帯機器５０は、図５〜図８に示すように、上下の長手方向を後方に向かって上り勾配とする姿勢で充電台１０の装着部１２にセットされ、その下端をストッパ壁１４に載せる姿勢で装着される。
（パック電池）
【００５８】
携帯機器５０は、湾曲背面５３の内側に、湾曲背面５３に沿う湾曲面に巻かれた誘導コイル５１を内蔵している。図１０、図１１、及び図１８の携帯機器５０は、複数本の円筒形電池５４を平行に並べて収納する電池収納部６１を有し、電池収納部６１にパック電池７０を脱着自在に装着している。携帯機器５０は、背面に開口するように電池収納部６１を設けて、ここにパック電池７０を装着して開口部を閉塞している。図の携帯機器５０は、パック電池７０に電池５４と誘導コイル５１を内蔵して、湾曲背面５３の内側に誘導コイル５１を収納している。電池収納部６１は、図１０、図１１、及び図１８の鎖線で示すように、複数の、図にあっては２本の単三電池５４Ｂを平行に並べて収納できる形状としている。パック電池７０は、複数の、図にあっては２本の単三電池５４Ｂに代わって電池収納部６１に脱着自在に収納できる外形としている。この構造の携帯機器５０は、図１８に示すように、単三電池５４Ｂと充電できるパック電池７０の両方で便利に使用できる。ただし、携帯機器は、脱着できるパック電池とはしないで、脱着できないように充電できる電池を内蔵し、さらに、この電池に充電電力を切り換えする誘導コイルを湾曲背面の内側に配設することもできるのはいうまでもない。携帯機器５０は、図１８の鎖線で示すように、電池収納部６１に単三電池５４Ｂを装着する状態では、開口部を脱着蓋６３で閉塞する。脱着蓋６３は、電池収納部６１の開口部に脱着できるように連結される。脱着蓋６３を外して、電池収納部６１に単三電池５４Ｂを装着し、単三電池５４Ｂを装着する状態で脱着蓋６３を携帯機器５０に連結して電池収納部６１の開口部を閉塞する。
【００５９】
パック電池７０は、脱着蓋６３を外して電池収納部６１に装着される。電池収納部６１に装着されるパック電池７０は、脱着蓋を一体構造に設けている。このパック電池７０は、電池収納部６１に装着されて、開口部を閉塞する。パック電池７０を図１９と図２０に示している。図２０は、図１９に示すパック電池７０の分解斜視図である。さらに、携帯機器５０を充電台１０にセットした状態の断面図を図１０と図１１に示している。これらの図に示すパック電池７０は、電池５４を収納している電池ケース７１と、この電池ケース７１に収納している２本の単四電池５４Ａと、単四電池５４Ａを定位置に配置する電池ホルダ７２と、この電池ホルダ７２の上に積層するように配設されて電池５４に接続している回路基板７３と、この回路基板７３の上に積層するように配設しているブラケット７４と、このブラケット７４の上に配設しているシールド層７５と、シールド層７５の上に配設している誘導コイル５１と、さらに誘導コイル５１の上に配設している背面カバー７６とを備える。背面カバー７６とブラケット７４と電池ホルダ７２は、絶縁材のプラスチックを成形して製作している。
【００６０】
背面カバー７６は、携帯機器５０の湾曲背面５３に沿う湾曲面に成形して、表面と内面を湾曲面としている。図の背面カバー７６は、電池収納部６１の脱着蓋６３に代わって使用されるので、外形を電池収納部６１の開口部を閉塞できる外形、すなわち脱着蓋６３と同じ形状に成形している。図のパック電池７０は、背面カバー７６を介して携帯機器５０の電池収納部６１に連結する。この背面カバー７６は、電池収納部６１の開口部に脱着できるように、上端部（図１９において左下部）に係止フック７７を一体的に成形して設けて、下端部（図１９において右上部）には電池収納部６１の開口部に係止される弾性フック７８を一体的に成形して設けている。電池収納部６１は、係止フック７７と弾性フック７８を係止する係止凹部６７、６８を電池収納部６１の上下端部に設けている。このパック電池７０は、係止フック７７を係止凹部６７に引っかける状態で電池収納部６１に押し込んで、弾性フック７８を係止凹部６８に係止して、電池収納部６１に外れない状態でセットされる。弾性フック７８を弾性的に変形して係止凹部６８から外して、パック電池７０は携帯機器５０から外すことができる。さらに、図１０と図１１の断面図に示す背面カバー７６は、両側縁の中央部に長手方向に伸びる凸条７９を設けている。この凸条７９は、携帯機器５０に設けた電池収納部６１の開口部両側に設けたガイド溝６９に入れられて、背面カバー７６を開口部に確実に連結している。
【００６１】
誘導コイル５１は、背面カバー７６の内面に配設される。誘導コイル５１は、表面に絶縁皮膜を設けている金属である銅線を平面状に巻いて平面コイルとし、これを背面カバー７６の内面の湾曲面に沿う形状に変形して、背面カバー７６の湾曲面に接近して配設している。誘導コイル５１は、電源コイル２１に効率よく電磁結合できるように、携帯機器５０の長手方向、すなわち単四電池５４Ａの長手方向に細長いループ状としている。
【００６２】
シールド層７５は、誘導コイル５１の下面に積層されて、回路基板７３及び電池５４を電源コイル２１から磁気シールドする。このシールド層７５は、金属やフェライト等の透磁率の高い層で、電源コイル２１の高周波が回路基板７３や電池５４に影響を与えるのを防止する。シールド層７５は、誘導コイル５１に沿う形状に湾曲されて、誘導コイル５１の背面に接近して配設される。
【００６３】
ブラケット７４はプラスチック製で、背面カバー７６に対向する表面を、背面カバー７６に沿う湾曲面に成形している。ブラケット７４は、その表面と背面カバー７６の内面とに間に湾曲する隙間を設けて、ここに誘導コイル５１とシールド層７５を挟着する状態で固定している。ブラケット７４は、回路基板７３に対向する裏面を平面状とし、あるいは回路基板７３に実装する電子部品を案内する凹部を設けた形状に成形して、回路基板７３に積層するように固定される。さらに、ブラケット７４は、誘導コイル５１を定位置に配置する位置決め凸部７４ａを表面に一体的に成形して設けている。位置決め凸部７４ａは、細長い誘導コイル５１の内側穴に案内されて、誘導コイル５１を定位置に配置する。図１９のブラケット７４は、細長い誘導コイル５１の内側穴の長手方向に離して、その両端部に位置するように設けて、誘導コイル５１を定位置に配置している。さらに、ブラケット７４は、位置決め凸部７４ａのある部分を厚く成形して、電池ケース７１を固定するネジ止めボスに併用している。このブラケット７４は、電池ケース７１を貫通する止ネジ８１をブラケット７４の各位置決め凸部７４ａにねじ込んで、電池ケース７１をブラケット７４に固定できる。
【００６４】
回路基板７３は、誘導コイル５１に誘導される電力で電池５４を充電する充電回路（図示せず）を実現する電子部品８４を実装している。この充電回路は、誘導コイル５１に誘導される高周波電力を電池５４を充電できる直流に変換して電池５４を充電する。回路基板７３は、実装する電子部品８４を、図２０において下面（図１０と図１１において上面）、すなわち電池側に固定している。
【００６５】
電池ホルダ７２は、複数本、図においては２本の単四電池５４Ａを定位置に配置すると共に、回路基板７３を定位置に配置する。電池ホルダ７２はプラスチック製で、電池対向面に電池５４の嵌着凹部７２ａを設ける形状に成形している。図のパック電池７０は、２本の単四電池５４Ａを内蔵するので、単四電池５４Ａの円筒に沿う形状の嵌着凹部７２ａを平行に２列に設けている。パック電池７０の単四電池５４Ａは、図１０と図１１の鎖線で示す単三電池５４Ｂに代わって電池収納部６１に装着される。単四電池５４Ａは単三電池５４Ｂよりも外径が小さいので、図１０と図１１に示すように、電池収納部６１に装着される単三電池５４Ｂよりも中心位置を両側に離して配置して、電池間の隙間を広くして、ここに回路基板７３に実装する電子部品８４を配置する収納スペース８２を設けている。すなわち、単四電池５４Ａは、できる限り外側に離して配置して、電池間の収納スペース８２を広くしている。
【００６６】
電池ホルダ７２は、回路基板７３との対向面である基板対向面に、回路基板７３を定位置に嵌着する周壁７２ｂを一体的に成形して設けている。この周壁７２ｂの内側に回路基板７３を嵌着して、定位置に固定している。さらに、電池ホルダ７２は、回路基板７３に固定している電子部品８４を案内する凹部７２ｃを基板対向面に設けている。この凹部７２ｃは、隣接する電池５４の間にあって、電池５４の間にできる収納スペース８２を有効に利用して、電子部品８４を配設している。
【００６７】
電池ケース７１は、内部に複数、図にあっては２本の単四電池５４Ａを収納できる箱形にプラスチックを成形して、開口部を背面カバー７６に連結している。箱形の電池ケース７１は、開口縁を背面カバー７６に嵌合係止構造で連結し、あるいは溶着して連結して、開口部を背面カバー７６で閉塞して組み立てられる。図１０と図１１の断面図に示す電池ケース７１は、電池収納部６１に設けている隔壁６６を案内する案内溝７１ａを底面に設けている。隔壁６６は、単三電池５４Ｂを定位置に収納するために、電池５４の間に設けている。さらに、電池ケース７１は、案内溝７１ａの両側に、単四電池５４Ａを定位置に配置する保持リブ７１ｂを一体的に成形して設けている。この電池ケース７１は、保持リブ７１ｂと両側の側壁との間に単四電池５４Ａを入れて定位置に配置している。さらに、電池ケース７１は、出力端子８３を外部に露出させる端子窓７１ｃを開口して、端子窓７１ｃから出力端子８３を外部に露出している。パック電池７０の出力端子８３は、電池収納部６１に設けている電源端子６２に接触して、携帯機器５０に電力を供給する。電源端子６２は、電池収納部６１に収納される単三電池５４Ｂの電極に接触する位置に配置される。したがって、単三電池５４Ｂに代わってパック電池７０を収納して、パック電池７０から携帯機器５０に電力が供給される。
【００６８】
以上のパック電池７０は、以下の工程で組み立てられる。
（１）電池ケース７１に電池５４を収納し、この電池５４の上に電池ホルダ７２を配設して電池５４を定位置に配置する。
（２）電池ホルダ７２の上に回路基板７３とブラケット７４を積層し、さらに、ブラケット７４の上にシールド層７５を介して誘導コイル５１を積層して、誘導コイル５１をブラケット７４の定位置に配置する。この状態で、回路基板７３と電池５４と誘導コイル５１とを接続し、電池ケース７１の端子窓７１ｃの内側に回路基板７３に接続している出力端子８３を配置する。
（３）電池ケース７１を貫通する止ネジ８１をブラケット７４の位置決め凸部７４ａにねじ込んで、ブラケット７４を電池ケース７１に固定して電池組立８０とする。
（４）電池ケース７１の開口縁を背面カバー７６に固定して、電池組立８０を背面カバー７６に固定する。
【００６９】
以上の構成を備える本実施例の携帯機器と充電台においては、携帯機器５０を、脱着自在なカバー４０で被覆しており、充電台１０の装着部１２を、カバー４０で被覆する携帯機器５０をセットできる内形としている。この構造の携帯機器と充電台は、携帯機器５０をカバー４０で被覆する状態で、あるいはカバーで被覆しない状態においても、装着部１２の所定の位置に案内して、誘導コイル５１を電源コイル２１に接近して携帯機器５０の電池５４を効率よく充電できる。
【００７０】
図１０に示すように、カバーで被覆されない携帯機器５０が適切に配置された状態においては、充電台１０の湾曲底面１３の最も底の部分と、携帯機器５０の湾曲背面５３の最も底の部分が一致して接触する。充電台１０の湾曲底面１３と、携帯機器５０の湾曲背面５３は、左右対称な構造なので、携帯機器５０を充電台１０の装着部１２に装着すると、携帯機器５０自体の自重で、滑り落ちるようにして、適切な配置位置に配置できる。そして、充電台１０の湾曲底面１３と、携帯機器５０の湾曲背面５３とを、摩擦係数が小さい材質のプラスチック材料とすると、このように、より容易に、滑り落ちるようにして、適切な配置位置に配置できる。
【００７１】
また、図１１に示すように、カバー４０で被覆する状態においても、充電台１０の湾曲底面１３に、携帯機器５０の湾曲背面５３を配置するときに、以下のように位置合わせができるので、容易に位置合わせして、効率よく充電することができる。
（１）充電台１０の湾曲底面１３の最も底の部分と、携帯機器５０の湾曲背面５３の最も底の部分を合わせるようにして配置すると位置合わせが良好にできる。
（２）充電台１０の湾曲底面１３、携帯機器５０の湾曲背面５３は、左右対称な構造なので、両者の中心線を合わせるようにして配置すると位置合わせが良好にできる。
（３）携帯機器５０の前面が、左右方向に水平となるように配置すると位置合わせが良好にできる。
【産業上の利用可能性】
【００７２】
本発明に係る携帯機器の充電台及び携帯機器と充電台は、ゲームのコントローラや、コードレス電話機、携帯電話、携帯音楽プレーヤ等の充電用として好適に利用できる。
【符号の説明】
【００７３】
１０、１０Ｃ…充電台
１１…台ケース；１１Ａ…上台ケース；１１Ｂ…下台ケース
１２、１２Ａ、１２Ｂ、１２Ｃ…装着部
１３、１３Ｃ…湾曲底面
１４…ストッパ壁
１５…側壁
１６…支持台；１６Ａ…傾斜面
２０…回路基板
２１、２１Ａ、２１Ｂ、２１Ｃ…電源コイル
２２、２２Ａ、２２Ｂ……電源
２３…シールド層
２５…ＡＣアダプタ
３０…ＬＥＤ
３１…光ガイド；３１Ａ…露出部
４０…カバー
５０…携帯機器；５０Ａ…第１の携帯機器；５０Ｂ…第２の携帯機器
５１、５１Ｃ…誘導コイル
５２…充電回路
５３…湾曲背面
５４…電池；５４Ａ…単四電池；５４Ｂ…単三電池
６１…電池収納部
６２…電源端子
６３…脱着蓋
６５…操作部
６６…隔壁
６７…係止凹部
６８…係止凹部
６９…ガイド溝
７０…パック電池
７１…電池ケース；７１ａ…案内溝；７１ｂ…保持リブ；７１ｃ…端子窓
７２…電池ホルダ；７２ａ…嵌着凹部；７２ｂ…周壁；７２ｃ…凹部
７３…回路基板
７４…ブラケット；７４ａ…位置決め凸部
７５…シールド層
７６…背面カバー
７７…係止フック
７８…弾性フック
７９…凸条
８０…電池組立
８１…止ネジ
８２…収納スペース
８３…出力端子
８４…電子部品
８５…切り欠き部
８６…第２切り欠き部
８７…位置決め用凹部
８８…第２傾斜面
８９…内壁面
９０…スペーサ
９１…ブロック体
９２…接続体
９３…位置決め突起
９４…スリット
９５…連結片
９６…スペーサ収納部
９７…表面
ＯＵ…オプションユニット
【図１】
2011087391.tif 000003
【図２】
2011087391.tif 000004
【図３】
2011087391.tif 000005
【図４】
2011087391.tif 000006
【図５】
2011087391.tif 000007
【図６】
2011087391.tif 000008
【図７】
2011087391.tif 000009
【図８】
2011087391.tif 000010
【図９】
2011087391.tif 000011
【図１０】
2011087391.tif 000012
【図１１】
2011087391.tif 000013
【図１２】
2011087391.tif 000014
【図１３】
2011087391.tif 000015
【図１４】
2011087391.tif 000016
【図１５】
2011087391.tif 000017
【図１６】
2011087391.tif 000018
【図１７】
2011087391.tif 000019
【図１８】
2011087391.tif 000020
【図１９】
2011087391.tif 000021
【図２０】
2011087391.tif 000022
【図２１】
2011087391.tif 000023
【図２２】
2011087391.tif 000024